(57)【要約】【課題】土石流の警戒区域、特別警戒区域を人手と経験に頼らず得ることができるように、警戒区域、特別警戒区域の生成装置及び、生成するための支援装置を得ること。【解決手段】土石流警戒区域生成装置において、地理情報システムを用いて、地図に対して指定した範囲において、初期基準点を与え警戒区域探査条件により、次の基準点を探索し探索した基準点を結合し警戒区域を得る警戒区域生成手段と、警戒区域を出力する警戒区域出力手段を有するようにした。さらに、特別警戒区域においては、氾濫開始点と、流出土砂量を与えることにより、流出した流量と、地形によるピーク流量とから、土石流が被害を及ぼす範囲を得るようにした土石流特別警戒区域生成手段と特別警戒区域を出力する特別警戒区域出力手段を有するようにした。【選択図】  図１
2004347755.tif 000002
【特許請求の範囲】
【請求項１】
地理情報システム（Ｇｅｏｇｒａｐｈｉｃ  Ｉｎｆｏｒｍａｔｉｏｎ  Ｓｙｓｔｅｍ：ＧＩＳ）のデータベースである地理情報を記憶した地理情報記憶手段と、前記地理情報を地形図を含む地図として表示する地理情報表示手段と、前記地図に対して位置情報を入力する位置情報入力手段と、
前記地図に対して指定した範囲において、土石流が発生した場合土石流が流下すると仮定される流線に沿った土石流警戒区域の探索を行うために前記流線をまたぐ左右各岸の初期基準点となる基準点Ｌｉ（ｉ＝０）、Ｒｊ（ｊ＝０）２点が前記位置情報入力手段により与えられると、前記地理情報を用いて、前記左右各岸の各々の基準点Ｌｉ（０  ≦ｉ≦ｍ）  ，Ｒｊ（０≦ｊ≦ｎ）  から左右岸それぞれ個別に探査を行い、左岸においては、前記基準点Ｌｉ  から所定の半径Ｒの円周上における流線を超えない領域で円周上の最低標高の地点との間の傾斜角度が、所定の基準値以下になるまで、警戒区域探査条件により得られる点を次の基準点Ｌｉ＋１  とし探査を続け、前記所定の基準値以下になった場合に探査を終了し、
右岸においては、前記基準点Ｒｉ  から前記所定の半径Ｒの円周上における流線を超えない領域で円周上の最低標高の地点との間の傾斜角度が、前記所定の基準値以下になるまで、警戒区域探査条件により得られる点を次の基準点Ｒｉ＋１  とし探査を続け、前記所定の基準値以下になった場合に探査を終了し、
前記初期基準点Ｌ０  、Ｒ０  を結ぶ辺を含む各基準点Ｌｉ（０  ≦ｉ≦ｍ）  ，Ｒｊ  （０≦ｊ≦ｎ）  を順次連結し、さらに最終基準点Ｌｍ  、Ｒｎ  を結ぶことにより得られる多角形を土石流警戒区域とする警戒区域生成手段と、
生成された前記警戒区域を前記地図上に出力する警戒区域出力手段を有する土石流警戒区域生成装置。
【請求項２】
前記警戒区域探査条件は、前記左右各岸のそれぞれの基準点から前記半径Ｒの円周上における流線を超えない領域で円周上の最低標高の地点Ａと、同一円周上において、前記地点Ａから所定の角度下流の山側の地点Ｂとを結ぶ円弧上を地点Ｂに向かって探索し、前記基準点の標高から所定の標高だけ低い標高を有する地点Ｃを次の基準点とすることを特徴とする請求項１に記載の土石流警戒区域生成装置。
【請求項３】
地理情報システム（Ｇｅｏｇｒａｐｈｉｃ  Ｉｎｆｏｒｍａｔｉｏｎ  Ｓｙｓｔｅｍ：ＧＩＳ）のデータベースである地理情報を記憶した地理情報記憶手段と、前記地理情報を地形図を含む地図として表示する地理情報表示手段と、前記地図に対して位置情報を入力する位置情報入力手段と、
前記地図に対して前記位置情報入力手段により指定した地点を氾濫開始点とし、与えられた流出土砂量と、土石流が流下すると仮定される流線上に設定された複数の調査実施点において、前記氾濫開始点に近い調査地点から順に前記地理情報を用いて求められる地形断面積と潤辺から得られる流量とが釣り合う土石流の水準標高ｈを求め、
前記土石流の水準標高ｈを用いて、土石流の水深Ｈを求め、前記土石流水深Ｈを用いて土石流の流体力Ｆｄ  及び、建築物の耐久力ｐ２  を求め、Ｆｄ  ＜ｐ２  となる調査地点まで順に調査し、
Ｆｄ  ＞ｐ２  である前記調査地点での前記土石流水深Ｈから求められる地形断面と土石流との境界点を左右岸それぞれ求め、これらの境界点を土石流特別警戒区域境界点とし、
前記各調査地点での前記土石流特別警戒区域境界点を連結することにより得られる多角形の区域を土石流特別警戒区域とする特別警戒区域生成手段と、
生成された前記土石流特別警戒区域を前記地図上に出力する特別警戒区域出力手段を有することを特徴とする土石流警戒区域生成装置。
【請求項４】
請求項１又は請求項２の土石流警戒区域生成装置において、請求項３に記載の前記特別警戒区域生成手段及び前記特別警戒区域出力手段をさらに有することを特徴とする土石流警戒区域生成装置。
【請求項５】
地理情報システム（Ｇｅｏｇｒａｐｈｉｃ  Ｉｎｆｏｒｍａｔｉｏｎ  Ｓｙｓｔｅｍ：ＧＩＳ）のデータベースである地理情報を記憶した地理情報記憶手段と、前記地理情報を地形図を含む地図として表示する地理情報表示手段と、前記地図に対して位置情報を入力する位置情報入力手段と、
前記地理情報表示手段に表示された前記地図に対して前記位置情報入力手段により指定した範囲内の離散的にとられた格子点において、前記格子点を中心とする所定半径の円周上の最低標高点を前記地理情報を用いて探索する最低標高点探索手段と、前記格子点を始点とし、探索された前記最低標高点を終点とする最低標高点方向矢印を前記地図上に出力する最低標高点方向矢印出力手段を有することを特徴とする土石流警戒区域生成装置。
【請求項６】
前記地理情報表示手段に表示された前記地図に対して前記位置情報入力手段により指定した範囲内の離散的にとられた格子点において、前記格子点を中心とする所定半径の円周上の最低標高点を前記地理情報を用いて探索する最低標高点探索手段と、前記格子点を始点とし、探索された前記最低標高点を終点とする最低標高点方向矢印を前記地図上に出力する最低標高点方向矢印出力手段をさらに有することを特徴とする請求項１乃至請求項４いずれか１項に記載の土石流警戒区域生成装置。
【請求項７】
前記位置入力手段は、前記最低標高点方向矢印が表示された前記地図上において、流線を設定するために複数の地点を上流から順次指定する流線ポイント入力手段をさらに有し、前記順次指定された点を順次連結して得られる連続した線を流線とする流線設定手段と、設定された前記流線を流線として前記地図上に出力する流線出力手段をさらに有することを特徴とする請求項５又は請求項６に記載の土石流警戒区域生成装置。
【請求項８】
設定された前記流線に沿った地形断面図である流線断面図を表示する流線断面図表示手段と、
前記流線断面図上の任意の地点を指定する流線断面図位置入力手段と、
入力された流線断面図位置を前記地図上の対応する位置に設定する流線断面図指示位置設定手段と、
設定された前記地図上の位置を前記地理情報表示手段に表示された前記地図に出力する流線断面図指示地点連動表示出力手段をさらに有することを特徴とする請求項７に記載の土石流警戒区域生成装置。
【請求項９】
地理情報システム（Ｇｅｏｇｒａｐｈｉｃ  Ｉｎｆｏｒｍａｔｉｏｎ  Ｓｙｓｔｅｍ：ＧＩＳ）のデータベースである地理情報を記憶した地理情報記憶手段と、前記地理情報を地形図を含む地図として表示する地理情報表示手段と、前記地図に対して位置情報を入力する位置情報入力手段を有したコンピュータに対するプログラムであって、
前記地図に対して指定した範囲において、土石流が発生した場合土石流が流下すると仮定される流線に沿った土石流警戒区域の探索を行うために前記流線をまたぐ左右各岸の初期基準点となる基準点Ｌｉ（ｉ＝０）、Ｒｊ（ｊ＝０）２点が前記位置情報入力手段により与えられると、前記地理情報を用いて、前記左右各岸の各々の基準点Ｌｉ（０  ≦ｉ≦ｍ）  ，Ｒｊ（０≦ｊ≦ｎ）  から左右岸それぞれ個別に探査を行い、左岸においては、前記基準点Ｌｉ  から所定の半径Ｒの円周上における流線を超えない領域で円周上の最低標高の地点との間の傾斜角度が、所定の基準値以下になるまで、警戒区域探査条件により得られる点を次の基準点Ｌｉ＋１  とし探査を続け、前記所定の基準値以下になった場合に探査を終了する手順と、
右岸においては、前記基準点Ｒｉ  から前記所定の半径Ｒの円周上における流線を超えない領域で円周上の最低標高の地点との間の傾斜角度が、前記所定の基準値以下になるまで、警戒区域探査条件により得られる点を次の基準点Ｒｉ＋１  とし探査を続け、前記所定の基準値以下になった場合に探査を終了する手順と、
前記初期基準点Ｌ０  、Ｒ０  を結ぶ辺を含む各基準点Ｌｉ（０  ≦ｉ≦ｍ）  ，Ｒｊ  （０≦ｊ≦ｎ）  を順次連結し、さらに最終基準点Ｌｍ  、Ｒｎ  を結ぶことにより得られる多角形を土石流警戒区域とする手順と、
生成された前記警戒区域を前記地図上に出力する手順と
をコンピュータに実行させるためのプログラム。
【請求項１０】
前記警戒区域探査条件は、前記左右各岸のそれぞれの基準点から前記半径Ｒの円周上における流線を超えない領域で円周上の最低標高の地点Ａと、同一円周上において、前記地点Ａから所定の角度下流の山側の地点Ｂとを結ぶ円弧上を地点Ｂに向かって探索し、前記基準点の標高から所定の標高だけ低い標高を有する地点Ｃを次の基準点とすることを特徴とする請求項９に記載のプログラム。
【請求項１１】
地理情報システムのデータベースである地理情報を記憶した地理情報記憶手段と、前記地理情報を地形図を含む地図として表示する地理情報表示手段と、前記地図に対して位置情報を入力する位置情報入力手段を有したコンピュータに対するプログラムであって、
前記地図に対して前記位置情報入力手段により指定した地点を氾濫開始点とし、与えられた流出土砂量と、土石流が流下すると仮定される流線上に設定された複数の調査実施点において、前記氾濫開始点に近い調査地点から順に前記地理情報を用いて求められる地形断面積と潤辺から得られる流量とが釣り合う土石流の水準標高ｈを求める手順と、
前記土石流の水準標高ｈを用いて、土石流の水深Ｈを求め、前記土石流水深Ｈを用いて土石流の流体力Ｆｄ  及び、建築物の耐久力ｐ２  を求め、Ｆｄ  ＜ｐ２  となる調査地点まで順に調査する手順と、
Ｆｄ  ＞ｐ２  である前記調査地点での前記土石流水深Ｈから求められる地形断面と土石流との境界点を左右岸それぞれ求め、これらの境界点を土石流特別警戒区域境界点とする手順と、
前記各調査地点での前記土石流特別警戒区域境界点を連結することにより得られる多角形の区域を土石流特別警戒区域とする手順と、
生成された前記土石流特別警戒区域を前記地図上に出力する手順と
をコンピュータに実行させるためのプログラム。
【請求項１２】
請求項９又は請求項１０のプログラムにおいて、請求項１１に記載の全ての手順をさらにコンピュータに実行させるためのプログラム。
【請求項１３】
地理情報システム（Ｇｅｏｇｒａｐｈｉｃ  Ｉｎｆｏｒｍａｔｉｏｎ  Ｓｙｓｔｅｍ：ＧＩＳ）のデータベースである地理情報を記憶した地理情報記憶手段と、前記地理情報を地形図を含む地図として表示する地理情報表示手段と、前記地図に対して位置情報を入力する位置情報入力手段を有したコンピュータに対するプログラムであって、
前記地理情報表示手段に表示された前記地図に対して前記位置情報入力手段により指定された範囲内の離散的にとられた格子点において、前記格子点を中心とする所定半径の円周上の最低標高点を前記地理情報を用いて探索する手順と、
前記格子点を始点とし、探索された前記最低標高点を終点とする最低標高点方向矢印を前記地図上に出力する手順と
をコンピュータに実行させるためのプログラム。
【請求項１４】
前記地理情報表示手段に表示された前記地図に対して前記位置情報入力手段により指定した範囲内の離散的にとられた格子点において、前記格子点を中心とする所定半径の円周上の最低標高点を前記地理情報を用いて探索する手順と、
前記格子点を始点とし、探索された前記最低標高点を終点とする最低標高点方向矢印を前記地図上に出力する手順とをさらにコンピュータに実行させることを特徴とする請求項９乃至請求項１２のいずれか１項に記載のプログラム。
【請求項１５】
前記最低標高点方向矢印が表示された前記地図上において、流線を設定するために複数の地点を上流から順次指定する手順と、
前記順次指定された点を順次連結して得られる連続した線を流線とする手順と、
設定された前記流線を流線として前記地図上に出力する手順と
をさらにコンピュータに実行させることを特徴とする請求項１３又は請求項１４に記載のプログラム。
【請求項１６】
設定された前記流線に沿った地形断面図である流線断面図を表示する手順と、
前記流線断面図上の任意の地点を指定する手順と、
入力された流線断面図位置を前記地図上の対応する位置に設定する手順と、
設定された前記地図上の位置を前記地理情報表示手段に表示された前記地図に出力する手順と
をさらにコンピュータに実行させることを特徴とする請求項１５に記載のプログラム。
【発明の詳細な説明】
【０００１】
【発明の属する技術分野】
本発明は、地形情報から、土石流特別警戒区域及び土石流警戒区域を推定し推定した各区域を地形図に図示する方法、装置に関する。
【０００２】
【従来の技術】
従来は、土石流の警戒区域、特別警戒区域を推定するには、土石流の発生しそうな渓流及び、渓流の出口において、ある一定量の土砂流出があったとし、等高線表記のある地図、地形図、航空写真等を用いて、谷の断面積を計算し、渓流に対して、土石流がどれくらいの高さになるか計算していた。さらに、渓流の出口以降の下流域においては、土石流の進む方向、広がる範囲を等高線などから標高を得て、推測していた。
【０００３】
又、渓流の傾斜による、流出土砂の速度、破壊力なども、地図などから、渓流の幅、傾斜を計算し、流速を計算することで、推定していた。
【０００４】
【発明が解決しようとする課題】
従来、土石流が発生すると考えられる渓流、渓流の出口において、土石流が及ぶと仮定される警戒区域、人的、経済的被害が及ぶと考えられる特別警戒区域を設置して、土地利用の注意、住民への大雨時の注意喚起などを行ってきた。警戒区域の設定にあたっては、谷の形状、流域面積、渓流の斜度等から、一般的に危険渓流とされる判断基準があり、その下流域、谷の出口などにおいて、過去の災害情報、経験に基づいて警戒域の設定を行っていた。土石流の流れる経路、範囲については傾斜、標高などを考慮に入れ、複数の調査地点を設置し、地図から得れる情報を元に推定していた。
【０００５】
特別警戒区域の設定にあたっては、渓流の流域面積から、流出すると仮定される土砂量を推定し、推定した土砂量に対して、地形、地形断面、傾斜などを考慮し、土石流の流れる流線を推定し、流線に沿って、土石流の高さ、流れる方向、広がる範囲を推定していた。推定にあたっては、例えば、流線上に複数の調査ポイントを設け、調査ポイントごとに、地図から、地形断面積、傾斜などを計算し、流出土砂量を元に、土石流の高さ、流体力などを計算していた。
【０００６】
しかし、いずれの区域を推定する場合も、調査地点毎に地図から計算を行うことは、多大な時間と労力を要していた。さらに、経験を積んだ担当者が必要であった。
【０００７】
また、土石流が流れると推定される流線についても、地図を見て流線を設定するため、流線を設定する担当者の経験に頼ることとなり、客観的な情報を元にした設定ではなかった。
【０００８】
本発明は、上述した問題点を解決するためになされたものであり、その目的は、誰にでも簡単にすばやく警戒区域の設定ができるようにすることである。
【０００９】
なお、上述したある１つの発明が、上記した全ての目的を同時に達成するものと解されるべきではなく、個々の発明が、それぞれの目的を達成するものと解されるべきである。
【００１０】
【課題を解決するための手段】
上記課題を解決する為に、請求項１の発明による土石流警戒区域生成装置は、地理情報システム（Ｇｅｏｇｒａｐｈｉｃ  Ｉｎｆｏｒｍａｔｉｏｎ  Ｓｙｓｔｅｍ：ＧＩＳ：以下ＧＩＳと記す。）のデータベースである地理情報を記憶した地理情報記憶手段と、地理情報を地図として表示する地理情報表示手段と地図に対して位置情報を入力する位置情報入力手段とを有するよう構成した。さらに、本発明では、地理情報表示手段に表示された地図に対して指定した範囲において、土石流が発生した場合土石流が流下すると仮定される流線に沿った土石流警戒区域の探索を行うようにした。土石流警戒区域の探索を行うために、先ず、流線をまたぐ左右各岸の初期基準点となる基準点Ｌｉ  （ｉ＝０）、Ｒｊ  （ｊ＝０）２点を位置情報入力手段により入力できるようにした。この初期基準点２点が入力されると、左右各岸の各々の基準点Ｌｉ（０  ≦ｉ≦ｍ）  ，Ｒｊ（０≦ｊ≦ｎ）  から左右岸それぞれ個別に地理情報を用いて探査を行う。
【００１１】
左岸においては、基準点Ｌｉ  から所定の半径Ｒの円周上における流線を超えない領域で円周上の最低標高の地点との間の傾斜角度が、所定の基準値以下になるまで、警戒区域探査条件により得られる点を次の基準点Ｌｉ＋１  とし探査を続け、所定の基準値以下になった場合に探査を終了する。
【００１２】
右岸においては、基準点Ｒｉ  から所定の半径Ｒの円周上における流線を超えない領域で円周上の最低標高の地点との間の傾斜角度が、所定の基準値以下になるまで、警戒区域探査条件により得られる点を次の基準点Ｒｉ＋１  とし探査を続け、所定の基準値以下になった場合に探査を終了する。
【００１３】
次に、初期基準点Ｌ０  、Ｒ０  を結ぶ辺を含む各基準点Ｌｉ（０  ≦ｉ≦ｍ）  ，Ｒｊ  （０≦ｊ≦ｎ）  を順次連結し、最終基準点Ｌｍ  、Ｒｎ  を結ぶことにより得られる多角形を土石流警戒区域とする。この一連の探索、設定を行う警戒区域生成手段を有し、さらに、生成された警戒区域が地図上に出力する警戒区域出力手段を有することを特徴とする。
【００１４】
さらに、請求項２の発明は、警戒区域探査条件は、左右各岸のそれぞれの基準点から所定の半径の円周上における流線を超えない領域で円周上の最低標高の地点Ａと、同一円周上において、地点Ａから所定の角度下流の山側の地点Ｂとを結ぶ円弧上を地点Ｂに向かって探索し、基準点の標高から所定の標高だけ低い標高を有する地点Ｃを次の基準点とすることを特徴とする。
【００１５】
さらに、請求項３の発明における土石流警戒区域生成装置は、地理情報システムのデータベースである地理情報を記憶した地理情報記憶手段と、地理情報を地図として表示する地理情報表示手段と地図に対して位置情報を入力する位置情報入力手段とを有するように構成した。さらに、地理情報表示手段に表示された地図に対して位置情報入力手段により指定した地点を氾濫開始点とし、与えられた流出土砂量と、土石流が流下すると仮定される流線上に設定された複数の調査実施点において、氾濫開始点に近い調査地点から順に地理情報を用いて求められる地形断面積と潤辺から得られる流量とが釣り合う土石流の水準標高ｈを求め、求めた土石流の水準標高ｈを用いて、土石流の水深Ｈを求める。さらに、土石流水深Ｈを用いて土石流の流体力Ｆｄ  及び、建築物の耐久力ｐ２  を求め、Ｆｄ  ＜ｐ２  となる調査地点まで順に調査する。Ｆｄ  ＞ｐ２  である調査地点での土石流水深Ｈから求められる地形断面と土石流との境界点を左右岸それぞれ求め、これらの境界点を土石流特別警戒区域境界点とするようにした。さらに、各調査地点での土石流特別警戒区域境界点を連結することにより得られる多角形の区域を土石流特別警戒区域とする特別警戒区域生成手段と生成された土石流特別警戒区域を地図上に出力する特別警戒区域出力手段を有することを特徴とする。
【００１６】
さらに、請求項４の発明における土石流警戒区域生成装置は、請求項１又は請求項２の土石流警戒区域生成装置において、請求項３に記載の特別警戒区域生成手段及び特別警戒区域出力手段をさらに有することを特徴とする。
【００１７】
さらに、請求項５の発明における土石流警戒区域生成装置は、地理情報システム（Ｇｅｏｇｒａｐｈｉｃ  Ｉｎｆｏｒｍａｔｉｏｎ  Ｓｙｓｔｅｍ：ＧＩＳ）のデータベースである地理情報を記憶した地理情報記憶手段と、地理情報を地形図を含む地図として表示する地理情報表示手段と、地図に対して位置情報を入力する位置情報入力手段と、地理情報表示手段に表示された地図に対して位置情報入力手段により指定した範囲内の離散的にとられた格子点において、格子点を中心とする所定半径の円周上の最低標高点を地理情報を用いて探索する最低標高点探索手段と、格子点を始点とし、探索された最低標高点を終点とする最低標高点方向矢印を地図上に出力する最低標高点方向矢印出力手段を有することを特徴とする。
【００１８】
さらに、請求項６の発明による土石流警戒区域生成装置は、請求項１乃至請求項４いずれか１項に記載の土石流警戒区域生成装置において、地理情報表示手段に表示された地図に対して位置情報入力手段により指定した範囲内の離散的にとられた格子点において、格子点を中心とする所定半径の円周上の最低標高点を地理情報を用いて探索する最低標高点探索手段と、格子点を始点とし、探索された最低標高点を終点とする最低標高点方向矢印を地図上に出力する最低標高点方向矢印表示出力手段をさらに有することを特徴とする。
【００１９】
さらに、請求項７の発明による土石流警戒区域生成装置は、請求項５又は請求項６に記載の土石流警戒区域生成装置において、位置入力手段は、最低標高点方向矢印が表示された地図上において、流線を設定するために複数の地点を上流から順次指定する流線ポイント入力手段をさらに有し、順次指定された点を順次連結して得られる連続した線を流線とする流線設定手段と、設定された流線を流線として地図上に出力する流線出力手段をさらに有することを特徴とする。
【００２０】
さらに、請求項８の発明による土石流警戒区域生成装置は、請求項７に記載の土石流警戒区域生成装置において、設定された流線に沿った地形断面図である流線断面図を表示する流線断面図表示手段と、流線断面図上の任意の地点を指定する流線断面図位置入力手段と、入力された流線断面図位置を地図上の対応する位置に設定する流線断面図指示位置設定手段と、設定された地図上の位置を地理情報表示手段に表示された地図に出力する流線断面図指示地点連動表示出力手段をさらに有することを特徴とする。
【００２１】
さらに、請求項９の発明によるプログラムは、地理情報システム（Ｇｅｏｇｒａｐｈｉｃ  Ｉｎｆｏｒｍａｔｉｏｎ  Ｓｙｓｔｅｍ：ＧＩＳ）のデータベースである地理情報を記憶した地理情報記憶手段と、前記地理情報を地形図を含む地図として表示する地理情報表示手段と、前記地図に対して位置情報を入力する位置情報入力手段を有したコンピュータに対するプログラムであって、地図に対して指定した範囲において、土石流が発生した場合土石流が流下すると仮定される流線に沿った土石流警戒区域の探索を行うために流線をまたぐ左右各岸の初期基準点となる基準点Ｌｉ（ｉ＝０）、Ｒｊ（ｊ＝０）２点が位置情報入力手段により与えられると、地理情報を用いて、左右各岸の各々の基準点Ｌｉ（０  ≦ｉ≦ｍ）  ，Ｒｊ（０≦ｊ≦ｎ）  から左右岸それぞれ個別に探査を行い、左岸においては、基準点Ｌｉ  から所定の半径Ｒの円周上における流線を超えない領域で円周上の最低標高の地点との間の傾斜角度が、所定の基準値以下になるまで、警戒区域探査条件により得られる点を次の基準点Ｌｉ＋１  とし探査を続け、所定の基準値以下になった場合に探査を終了する手順と、右岸においては、基準点Ｒｉ  から所定の半径Ｒの円周上における流線を超えない領域で円周上の最低標高の地点との間の傾斜角度が、所定の基準値以下になるまで、警戒区域探査条件により得られる点を次の基準点Ｒｉ＋１  とし探査を続け、所定の基準値以下になった場合に探査を終了する手順と、初期基準点Ｌ０  、Ｒ０  を結ぶ辺を含む各基準点Ｌｉ（０  ≦ｉ≦ｍ）  ，Ｒｊ  （０≦ｊ≦ｎ）  を順次連結し、さらに最終基準点Ｌｍ  、Ｒｎ  を結ぶことにより得られる多角形を土石流警戒区域とする手順と、生成された警戒区域を地図上に出力する手順とをコンピュータに実行させるためのプログラムである。
【００２２】
さらに、請求項１０の発明によるプログラムは、請求項９のプログラムにおいて、警戒区域探査条件は、左右各岸のそれぞれの基準点から半径Ｒの円周上における流線を超えない領域で円周上の最低標高の地点Ａと、同一円周上において、地点Ａから所定の角度下流の山側の地点Ｂとを結ぶ円弧上を地点Ｂに向かって探索し、基準点の標高から所定の標高だけ低い標高を有する地点Ｃを次の基準点とすることを特徴とする。
【００２３】
さらに、請求項１１の発明によるプログラムは、地理情報システムのデータベースである地理情報を記憶した地理情報記憶手段と、地理情報を地形図を含む地図として表示する地理情報表示手段と、地図に対して位置情報を入力する位置情報入力手段を有したコンピュータに対するプログラムであって、地図に対して位置情報入力手段により指定した地点を氾濫開始点とし、与えられた流出土砂量と、土石流が流下すると仮定される流線上に設定された複数の調査実施点において、氾濫開始点に近い調査地点から順に地理情報を用いて求められる地形断面積と潤辺から得られる流量とが釣り合う土石流の水準標高ｈを求める手順と、土石流の水準標高ｈを用いて、土石流の水深Ｈを求め、土石流水深Ｈを用いて土石流の流体力Ｆｄ  及び、建築物の耐久力ｐ２  を求め、Ｆｄ  ＜ｐ２  となる調査地点まで順に調査する手順と、Ｆｄ  ＞ｐ２  である調査地点での土石流水深Ｈから求められる地形断面と土石流との境界点を左右岸それぞれ求め、これらの境界点を土石流特別警戒区域境界点とする手順と、各調査地点での土石流特別警戒区域境界点を連結することにより得られる多角形の区域を土石流特別警戒区域とする手順と、生成された土石流特別警戒区域を地図上に出力する手順とをコンピュータに実行させるためのプログラムである。
【００２４】
さらに、請求項１２の発明によるプログラムは、請求項９又は請求項１０のプログラムにおいて、請求項１１に記載の全ての手順をさらにコンピュータに実行させるためのプログラムである。
【００２５】
さらに、請求項１３の発明によるプログラムは、地理情報システム（Ｇｅｏｇｒａｐｈｉｃ  Ｉｎｆｏｒｍａｔｉｏｎ  Ｓｙｓｔｅｍ：ＧＩＳ）のデータベースである地理情報を記憶した地理情報記憶手段と、地理情報を地形図を含む地図として表示する地理情報表示手段と、地図に対して位置情報を入力する位置情報入力手段を有したコンピュータに対するプログラムであって、地理情報表示手段に表示された地図に対して位置情報入力手段により指定された範囲内の離散的にとられた格子点において、格子点を中心とする所定半径の円周上の最低標高点を地理情報を用いて探索する手順と、格子点を始点とし、探索された最低標高点を終点とする最低標高点方向矢印を地図上に出力する手順とをコンピュータに実行させるためのプログラムである。
【００２６】
さらに、請求項１４の発明によるプログラムは、請求項９乃至請求項１２のいずれか１項に記載のプログラムにおいて、地理情報表示手段に表示された地図に対して位置情報入力手段により指定した範囲内の離散的にとられた格子点において、格子点を中心とする所定半径の円周上の最低標高点を地理情報を用いて探索する手順と、格子点を始点とし、探索された最低標高点を終点とする最低標高点方向矢印を地図上に出力する手順とをさらにコンピュータに実行させることを特徴とする。
【００２７】
さらに、請求項１５の発明によるプログラムは、請求項１３又は請求項１４に記載のプログラムにおいて、最低標高点方向矢印が表示された地図上において、流線を設定するために複数の地点を上流から順次指定する手順と、順次指定された点を順次連結して得られる連続した線を流線とする手順と、設定された流線を流線として地図上に出力する手順とをさらにコンピュータに実行させることを特徴とする。
【００２８】
さらに、請求項１６の発明によるプログラムは、請求項１５に記載のプログラムにおいて、設定された流線に沿った地形断面図である流線断面図を表示する手順と、流線断面図上の任意の地点を指定する手順と、入力された流線断面図位置を地図上の対応する位置に設定する手順と、設定された地図上の位置を地理情報表示手段に表示された地図に出力する手順とをさらにコンピュータに実行させることを特徴とするプログラムである。
【００２９】
【発明の作用および効果】
本欄では、各請求項に記載の発明に関して、主としてその作用及び効果を記載する。発明の理解を容易にするために、例示的に具体化して説明しているが、請求項の構成を限定するものではない。そして、例示的に具体化して説明した部分は、発明の実施の形態の説明でもある。
【００３０】
請求項１に記載の土石流警戒区域生成装置によれば、ＧＩＳのデータベースである地理情報を記憶した地理情報記憶手段と、地理情報を地形図を含む地図として表示する地理情報表示手段と、地図に対して位置情報を入力する位置情報入力手段を有するようにした。これにより、ＧＩＳのデータベースを用いて、地形図、地図を表示することが可能となり、表示された地図に対して、様々な位置情報を、例えば、マウス、キーボード、タッチペンなどを用いて入力指示することが可能となる。さらに、警戒区域生成手段は、先ず、地図に対して指定した範囲において、土石流が発生した場合土石流が流下すると仮定される流線に沿った土石流警戒区域の探索を行うために流線をまたぐ左右各岸の初期基準点となる基準点Ｌｉ  （ｉ＝０）、Ｒｊ  （ｊ＝０）２点が位置情報入力手段により与えられると、地理情報を用いて、左右各岸の各々の基準点Ｌｉ（０  ≦ｉ≦ｍ）  ，Ｒｊ（０≦ｊ≦ｎ）  から左右岸それぞれ個別に探査を行う。
【００３１】
左岸においては、基準点Ｌｉ  から所定の半径Ｒの円周上における流線を超えない領域で円周上の最低標高の地点との間の傾斜角度が、所定の基準値以下になるまで、警戒区域探査条件により得られる点を次の基準点Ｌｉ＋１  とし探査を続け、所定の基準値以下になった場合に探索を終了する。例えば、次の基準点Ｌｉ＋１  の探査を終了し基準点Ｌｉ  を最終基準点Ｌｍ  とするか、次の基準点Ｌｉ＋１  を探索した後、この点を最終基準点Ｌｍ  とする。すなわち、探索終了のための傾斜角度の判定は、次の基準点を探索する前の事前判定でも、次の基準点を探索した後の事後判定であっても良い。また、所定の基準値以下となるという判断は、所定の基準値よりも小さい場合であっても良い。
【００３２】
一方、右岸においては、基準点Ｒｉ  から所定の半径Ｒの円周上における流線を超えない領域で円周上の最低標高の地点との間の傾斜角度が、所定の基準値以下になるまで、警戒区域探査条件により得られる点を次の基準点Ｒｉ＋１  とし探査を続け、所定の基準値以下になった場合、次の基準点Ｒｉ＋１  の探査を終了する。この場合の条件判定と次の基準点の探索終了時に関しては、左岸の場合と同様である。このようにして、最終基準点Ｒｎ  まで求められる。このように、基準点Ｒｊ  から、さらに次の基準点Ｒｊ＋１  を順次探索し、最終基準点Ｒｎ  まで探索を行う。このようにすることにより、土石流が起こりえる警戒区域の判断基準を警戒区域探査条件とすることが可能となり、担当者の経験に頼る必要が無くなる。また、担当者による判断ミスも防ぐことが可能となる。さらに、基準点探索の終了条件として、例えば、一般的に、土石流が発生すると考えられている、一般の渓流の場合の渓床の傾斜角度２度を用いることができる。しかし、２度よりも緩やかな傾斜を設定して探索の終了条件としても良い。このようにして探索された基準点Ｌ０  、Ｒ０  を結ぶ辺を含む各基準点Ｌｉ（０  ≦ｉ≦ｍ−１）  ，Ｒｊ  （０≦ｊ≦ｎ−１）  を順次連結し、さらに最終基準点Ｌｍ  、Ｒｎ  を結ぶことにより得られる多角形を土石流警戒区域とすることができるようになる。
【００３３】
さらに、警戒区域出力手段により、生成された警戒区域を地図上に出力することができるようになる。これにより、危険な土石流の警戒区域を多大な時間と労力を要することなく土石流警戒区域生成装置を用いることにより、地図上で、警戒区域を得ることが可能となる。すなわち、建築を見合わせた方が良い区域や災害に当たって警戒をした方が良い区域が、より正確にかつ迅速に得られる。
【００３４】
さらに、請求項２の発明による土石流警戒区域生成装置によれば、警戒区域探査条件は、左右各岸のそれぞれの基準点から所定の半径の円周上における流線を超えない領域で円周上の最低標高の地点Ａと、同一円周上において、地点Ａから所定の角度下流の山側の地点Ｂとを結ぶ円弧上を地点Ｂに向かって探索し、基準点の標高から所定の標高だけ低い標高を有した地点Ｃを次の基準点とするようにしたので、幾何学的に次の基準点を得ることができるようになる。従って、担当者の経験に頼ることなく、土石流警戒区域生成装置上にて、警戒区域を得ることが可能となる。ここで、基準点の標高から所定の標高だけ低い標高を有した地点Ｃは、基準点と同一標高であることも含む。すなわち、所定の標高は０を含むものである。これにより、基準点より標高の高い方向に次の基準点が探索されることを防止している。
【００３５】
さらに、請求項３の発明による土石流警戒区域生成装置によれば、地理情報システムのデータベースである地理情報を記憶した地理情報記憶手段と、地理情報を地形図を含む地図として表示する地理情報表示手段と、地図に対して位置情報を入力する位置情報入力手段を有するようにした。これにより、ＧＩＳのデータベースを用いて、地形図、地図を表示することが可能となり、表示された地図に対して、様々な位置情報を、例えば、マウス、キーボード、タッチペンなどを用いて入力指示することが可能となる。
【００３６】
さらに、特別警戒区域生成手段により、地図に対して位置情報入力手段により指定した地点を氾濫開始点とし、流出土砂量を与え、土石流が流下すると仮定される流線上に設定した複数の調査実施点において、氾濫開始点に近い調査地点から順に地理情報を用いて地形断面積と潤辺から得られる流量とが釣り合う土石流の水準標高ｈを求める。求めた土石流の水準標高ｈを用いて、土石流の水深Ｈを求める。この、土石流水深Ｈを用いて土石流の流体力Ｆｄ  及び、建築物の耐久力ｐ２  を求め、Ｆｄ  ＜ｐ２  となる調査地点まで順に調査し、Ｆｄ  ＞ｐ２  である調査地点での土石流水深Ｈから求められる地形断面と土石流との境界点を左右岸それぞれ求め、それらの境界点を土石流特別警戒区域境界点とすることにより、土石流が発生した場合、建築物に被害が及ぶと考えられる範囲を土石流特別警戒区域とすることができるようになる。
【００３７】
さらに、各調査地点での土石流特別警戒区域境界点を連結することにより得られる多角形の区域を土石流特別警戒区域とすることができるようになる。このように、流出土砂量、実際の谷の形状を用いて、土石流の高さを推定する。推定した土石流の高さを用いて土石流の流体力を求めるようにしたため、実際に土石流が発生した時に近い特別警戒区域を設定することが可能となる。また、初期値として与える流出土砂量については、例えば、流域面積、時間当たりの降雨量、積算降雨量などを元に、複数の場合について初期値を与えることにより、簡単に様々な状況を想定することが可能となる。
【００３８】
さらに、特別警戒区域出力手段により、生成された土石流特別警戒区域を地図上に出力することが可能となるので、地図上にて確認することが可能となる。
【００３９】
このように土石流警戒区域生成装置を構成することにより、多大な時間と労力と経験とを必要とすることなく、誰にでも、特別警戒区域の生成を行うことが可能となる。従って、費用、時間などの面から、これまで、特別警戒区域の設定を行うことができなかった地域においても、特別警戒区域の調査を行うことが可能となり、降雨量などにより、より適確に、建設禁止区域や避難情報などを提供できるようになる。
【００４０】
土石流は、流下する速度が速いため、一旦発生してしまうと、避難することが難しく、過去においても、多数の人命、財産が失われてきた。このような災害に対しては、予め被害想定を行い早めの避難によってのみ対応が可能となる。また、被害が予想される地域においては、住宅の建設、公共施設の設置などを行わないようにすることも可能となる。このような土石流の警戒区域、特別警戒区域の予想が様々な地域で簡単に土石流警戒区域生成装置により可能となる。
【００４１】
さらに、請求項４の発明による土石流警戒区域生成装置によれば、請求項１又は請求項２の土石流警戒区域生成装置において、請求項３に記載の特別警戒区域生成手段及び特別警戒区域出力手段をさらに有するようにしたので、請求項１、請求項２の土石流警戒区域生成装置において、特別警戒区域の生成及び地図上への出力を行うことができるようになる。
【００４２】
さらに、請求項５の発明による土石流警戒区域生成装置によれば、地理情報表示手段に表示された地図に対して位置情報入力手段により指定した範囲内の離散的にとられた格子点において、格子点を中心とする所定半径の円周上の最低標高点を地理情報を用いて探索する最低標高点探索手段を有するようにした。これにより、離散的にとられた格子点を中心とした所定の半径の円周上において、最低標高点を探索することができるようになる。さらに、格子点を始点とし、探索された最低標高点を終点とする最低標高点方向矢印を地図上に出力する最低標高点方向矢印出力手段有するようにしたので、地図上において、格子点から最低標高方向を示す矢印を表示することができるようになる。これにより、指定した範囲内において、ある地点からの標高の低い方向を知ることが可能となる。これは、例えば、ある地点での水の流れる方向に準じていると考えることが可能であるので、指定した範囲において、水の流れる方向性を知ることが可能となる。
【００４３】
さらに、請求項６の発明による土石流警戒区域生成装置によれば、請求項１乃至請求項４いずれか１項に記載の土石流警戒区域生成装置において、地理情報表示手段に表示された地図に対して位置情報入力手段により指定された範囲内の離散的にとられた格子点において、格子点を中心とする所定半径の円周上の最低標高点を地理情報を用いて探索する最低標高点探索手段を有するようにした。これにより、離散的にとられた格子点を中心とした所定の半径の円周上において、最低標高点を探索することができるようになる。さらに、格子点を始点とし、探索された最低標高点を終点とする最低標高点方向矢印を地図上に出力する最低標高点方向矢印出力手段有するようにしたので、地図上において、格子点から最低標高方向を示す矢印を表示することができるようになる。これにより、指定した範囲内において、ある地点からの標高の低い方向を知ることが可能となる。これは、例えば、ある地点での水の流れる方向に準じていると考えることが可能であるので、指定した範囲において、水の流れる方向性を知ることが可能となる。
【００４４】
さらに、請求項７の発明によれば、請求項５又は請求項６に記載の土石流警戒区域生成装置において、位置入力手段は、流線ポイント入力手段を有するので、最低標高点方向矢印が表示された地図上において、流線を設定するために複数の地点を上流から順次指定することができるようになる。このように、最低標高点方向の矢印が表示されているので、水の流下する方向を推定することが可能となる。さらに、流線設定手段により、順次指定された点を順次連結し得られる連続した線を流線とすることができるようになるので、例えば、マウス、キーボード、タッチペンなどにより、地図上に表示された矢印表示を参考にし、矢印の終点が集まる所を順次指定することで、流線とすることができるようになる。さらに、流線出力手段により、設定された流線を流線として地図上に出力することができるようになる。このようにして、流線を設定することにより最も望ましい流線を得ることが可能となり、最も望ましい流線上の調査実施点により特別警戒区域の生成を行うことが可能となるので、より正確な特別警戒区域を得ることができるようになる。
【００４５】
さらに、請求項８の発明によれば、請求項７に記載の土石流警戒区域生成装置において、流線断面図表示手段を有するようにしたので、流線に沿った地形断面図を表示することができるようになる。さらに、流線断面図位置入力手段と、流線断面図指示位置設定手段を有するようにしたので、流線断面図上の任意の地点を指定することができるようになり、入力された流線断面図位置を地図上の対応する位置に設定することができるようになる。さらに、流線断面図指示地点連動表示出力手段を有するようにしたので、断面図において、指示された任意の地点を地図に表示することができるようになる。これにより、地図上において、氾濫開始点を容易に把握することが可能となる。また、流線を変更する場合などにも、最適な流線位置を把握するのが、これにより容易となる。
【００４６】
請求項９乃至請求項１６のプログラムに関する発明は、それぞれ、この順で、請求項１乃至請求項８の土石流警戒区域生成装置の発明に対応する。すなわち、請求項９乃至請求項１６に記載の手順をコンピュータに実行させるためのプログラムは、そのプログラムをコンピュータにおいて実行するとき、請求項１乃至請求項１６に記載の土石流警戒区域生成装置の動作及び効果を奏するものである。よって、発明の作用及び得られる効果は、請求項１乃至請求項１６の装置発明の作用及び効果と同一であるので、重複記載を省略する。
【００４７】
【発明の実施の形態】
以下、本発明の望ましい実施の形態について説明する。発明の実施の形態の一部は、上記の作用及び効果の欄に記載されている。
【００４８】
以下、本発明の土石流警戒区域生成装置について図面を参照して説明する。図１に本発明の土石流警戒区域生成装置の一実施例を示す。本発明の土石流警戒区域生成装置は、制御装置１０、入力装置２０、表示装置３０により構成され、制御装置１０は、ＣＰＵ４０、記憶手段６１、ＧＩＳ６０により構成される。
【００４９】
ＣＰＵ４０は、警戒区域を生成する警戒区域生成手段４１、警戒区域を地図上に出力するようＧＩＳ制御部６８に指令を出力する警戒区域出力手段５１、特別警戒区域を生成する特別警戒区域生成手段４２、特別警戒区域を地図上に出力するよう指令を出力する特別警戒区域出力手段５２、所定の半径の円周上における最低標高点を探索する最低標高点探索手段４６、中心となった格子点から、探索した最低標高点を結ぶ矢印表示を行うようＧＩＳ制御部６８に指令を出す最低標高点矢印出力手段５６、地図上の複数のポイントを指示することにより流線を設定する流線設定手段４７、設定した流線を地図上に出力するよう指令する流線出力手段５７、流線断面図表示手段６７により表示されている流線断面図の表示に対して、流線断面図位置入力手段６５により流線上の任意の地点を指示することにより、地図上の対応する流線上の位置を設定する流線断面図指示位置設定手段４８及び、指示された位置を地図上の位置として出力するよう指令する流線断面図指示位置連動表示出力手段５８からなり、記憶手段６１は、ハードディスク装置、ＣＤ、ＤＶＤ、フラッシュメモリ、ＲＡＭ，ＲＯＭなどの１種又はそれらの組み合わせからなり、必要な情報、プログラム等が予め記憶され、必要な情報を一時的に記憶する。なお、ＣＰＵ４０が上記の各手段を構成しているように説明したが、各手段は、ハードウエアとしてはＣＰＵ４０で構成され、ソフトウエアとしてはＣＰＵ４０の実行する処理ステップによっても構成されている。また、請求項のプログラムに関する発明を記述した手順は、これらの各手段において実行されるＣＰＵ４０の処理手順を意味する。
【００５０】
ＧＩＳ６０は、位置情報入力手段６３により、入力された位置情報と、記憶手段６１の地理情報記憶手段６２に記憶されたデータベースを用いて、ＧＩＳ制御部６８により、文字や数字、画像などを地図と結びつけて、位置や場所から標高、傾斜などの情報を分かりやすく地理情報表示手段６６により、地図表現するものである。位置情報入力手段６３は、表示された地理情報に対し、入力装置２０であるマウスなどのポインティングデバイスにより、位置を入力すると、内部的な位置情報として認識するものである。地理情報表示手段６６は、ＧＩＳ制御部６８の指令により地理情報記憶手段６２から読み出された地理情報を画像に変換し表示装置３０へ送るものである。ＧＩＳ制御部６８は、上述した以外に、ＣＰＵ４０からの指令を受けて、位置情報入力手段６３からの入力情報をＣＰＵ４０へ与えたり、地理情報表示手段６６を介して、表示装置３０への必要な表示を行う制御を行う。なお、土石流警戒区域生成装置は、図示した以外に、ＲＯＭ、ＲＡＭ、システムバス、外部バス、外部記憶メモリ、及びＲＯＭ内のプログラムから構成されるコンピュータ装置により構成される。地理情報システム６０に付いては、ＧＩＳエンジンなどが用いられる。
【００５１】
さらに、地理情報の一部として、例えば、Ｔｉｎ（Ｔｒｉａｎｇｕｌａｔｅｄ  Ｉｒｒｅｇｕｌａｒ  Ｎｅｔｗｏｒｋ：  不規則三角網）を模した形式の３次元ポリゴンデータを使用することにより、任意点の地形傾斜および任意区間の平均傾斜、あるいは流線上の計測地点における支配勾配をＧＩＳ制御部６８に指令することにより、得ることができるようになる。任意区間の平均傾斜とは、２点間の直線上平均傾斜角のみでなく、複雑に屈曲した任意線上での、任意区間平均傾斜も求めることが可能となる。
【００５２】
さらに、このようなデータを利用することで、任意地点の傾斜を連続的に取得できるので、要求される傾斜角のために、何らかの関数が介在する変則的な角度の決定にも対応できるようになる。このようなＧＩＳのデータの形、利用方法に付いては良く知られているので、ここでは、詳しく説明しない。
【００５３】
次に、本発明による、土石流警戒区域の生成の方法と、土石流警戒区域生成装置の動作及び、処理手順について図を用いて詳細に説明する。先ず、図２、図３、図４を用いて土石流警戒区域の設定について説明し、合わせて、図９、図１０、図１１のフローチャートを用いて処理の手順について説明する。
【００５４】
先ず、表示装置３０に、土石流が発生すると考えられる地域をＧＩＳのデータベースである地理情報を用いて、表示させる。次に、表示させた地図に対してマウスなどを用いて、位置情報入力手段６３により範囲を指定する。指定した範囲において、土石流が発生した場合土石流が流下すると仮定される流線に沿った土石流警戒区域の探索を行うために流線をまたぐ左右各岸の初期基準点となる基準点Ｌ０、Ｒ０  、２点を位置情報入力手段６３により与える（ステップ１００）。ここで用いる流線は、あとで詳述する流線設定手段４７により設定されたものである。
【００５５】
次に、警戒区域生成手段４１において、地理情報記憶手段６２に記憶された地理情報を用いて、左右各岸の各々の基準点Ｌｉ（０  ≦ｉ≦ｍ）  ，Ｒｊ（０≦ｊ≦ｎ）  から左右岸それぞれ個別に探査行う（ステップ１０２、ステップ１０４）。先ず、図２を用いて説明する。図中においては、Ｌ０  、Ｌ１  、と、左岸を例にとって図示している。左岸においては、先ず、初期基準点Ｌ０  を中心に、例えば半径３０ｍの円を考える。この時、円周が、流線に掛かる場合は、流線を越えない領域で考えることとする。次に、円周上で、標高の最も低い地点を探索する。この標高の低い地点の探索は、ＧＩＳ６０において、ＧＩＳ制御部６８に対して警戒区域生成手段４１から指令を出すことにより、各点の標高データが得られる。上記領域内で且つ円上において、標高の最も低い地点を、Ａ０  とする（ステップ１２０）。
【００５６】
基準点Ｌ０  から半径３０ｍの円周上における流線を超えない領域で円周上の最低標高の地点Ａ０  との間の傾斜角度が、所定の基準値、例えば、２度以下になると、これ以降の探索を行わないので、先ず、傾斜角度を調べる（ステップ１２２）。ステップ１２４にて、傾斜角度を調べ、判断する。２度以上の場合は、探索を続けるので、Ａ０  から、下流方向で、山側に、例えば３０度の地点をＢ０  とする（ステップ１２６）。Ａ０から、Ｂ０の円弧上で、基準点の標高に対して所定値だけ低く（等しい又は高い）なる、流線に最も近い点を探索するために、探索地点をＣｋとして初期位置として、地点Ａｋの位置をセットする（ステップ１２８）  。
【００５７】
次に、探索する地点を山側に１ＳＴＥＰ、例えば、１度山側に移動させ、この地点をＣｋとする（ステップ１３０）  。次に、地点Ｃｋが、地点Ｂｋの位置を越えていないかチェックする（ステップ１３２）  。これにより、探索範囲が、基準点から所定の角度以上となるのを防ぐ。超えていない場合は、地点Ｃｋの標高と基準点Ｄｋの標高差が所定のｄＺを超えていないか判断する。超えていなければ、ステップ１３０に戻り、もう１ＳＴＥＰ山側の地点をセットし、ステップ１３４までを繰り返し、探索を続ける。ステップ１３２において、地点Ｂｋの位置を超えた場合と、ステップ１３４において、（地点Ｃｋの標高−基準点Ｄｋの標高）が標高差ｄＺを超えた場合は、ステップ１３６に進み、Ｋ＝ｋ＋１  とし、ステップ１３８において、現在の探索地点Ｃｋを次の基準点Ｄｋとする。ステップ１２０へ戻り、次の基準点の探索を続ける。
【００５８】
基準点Ｌｉ  から所定の半径Ｒの円周上における流線を超えない領域で円周上の最低標高の地点Ａｉ  との間の傾斜角度が、所定の基準値例えば、２度になるまで、警戒区域探査条件により得られる点を次の基準点Ｌｉ＋１  とし探査を続ける（ステップ１２４）  。傾斜が、２度以下になった場合、次の基準点Ｌｉ＋１  の探査を終了し基準点Ｌｉ  を最終基準点Ｌｍ  として左岸の基準点の探索を終える。（図３参照。）
【００５９】
図２における具体的な探索結果で説明すると、次のようになる。地点Ａ０から地点Ｂ０に向けて地点Ｃ０の探索を開始するが、地点Ｂ０までの間に、基準点標高に対する標高差が所定値以上となる地点が存在しないので、地点Ｂ０が、次の基準点Ｌ１とされる。また、地点Ｌ１を中心とする円周上では、Ａ１とＢ１の間で、基準点標高に対する標高差が所定値（実施例では０、一般的には負値を採用）以上となる地点が存在するので、この地点Ｃ１が、次の基準点Ｌ２とされる。このように探索することにより、円弧ＡｋＢｋ上で、次の基準点Ｌｋ＋１  が探索できるようになる。なお、所定値に正値を採用すると、基準点よりも所定値だけ高い標高を次の基準点とすることになり、特別な場合を除いては、山側に警戒区域が拡大するので、望ましくない。
【００６０】
ここで、半径３０ｍ、所定の角度を３０度としているのは、経験的に、この数値を用いることにより、最も、土石流の警戒区域として適正な区域が得られるためである。しかし、警戒区域を設定する地域の傾斜、地質、形状、その他要因によっては、その数値を、増減させても良い。標高差ｄＺ、傾斜角度についても、同様に、最も適切な値が、ｄＺ＝０ｍ  、傾斜角度＝２度であるが、これも、警戒区域を設定する地域の傾斜、形状、地質、その他要因により変化させても良い。尚、傾斜角度２度は、従来、土石流危険渓流を設定する時に使用されてきた渓床の傾斜である。
【００６１】
右岸においても同様に、基準点Ｒｉ  から所定の半径Ｒ例えば、３０ｍ  の円周上における流線を超えない領域で円周上の最低標高の地点との間の傾斜角度が、２度になるまで、警戒区域探査条件により得られる点を次の基準点Ｒｉ＋１  とし探査を続け、所定の基準値以下になった場合、次の基準点Ｒｉ＋１  の探査を終了し基準点Ｒｉ  を最終基準点Ｒｎ  として探索を終了する。図４には、左右岸同数の基準点を探索しているが、もちろん左右岸異なる数の基準点が、探索されることもある。
【００６２】
次に、初期基準点Ｌ０  、Ｒ０  を結ぶ辺を含む各基準点Ｌｉ（０  ≦ｉ≦ｍ）  ，Ｒｊ  （０≦ｊ≦ｎ）  を順次連結し、さらに最終基準点Ｌｍ  、Ｒｎ  を結ぶことにより得られる多角形を土石流警戒区域とする（ステップ１０６）。（図４参照。）
【００６３】
次に、警戒区域生成手段４１において、生成された警戒区域を地図上に出力する指令をＧＩＳ制御部６８に対して、警戒区域出力手段５１が行い、地図上に警戒区域が表示されるよう、表示装置３０に表示される（ステップ１０８）。
【００６４】
上記の実施例では、傾斜角が２度より小さい場合に探索を終了し、その時の基準点を最終基準点Ｌｍ  、Ｒｎ  とした。しかし、傾斜角が２度より小さくなった場合に、円上の探索を行って上記の所定条件を満たす次の基準点Ｌｉ＋１  、Ｒｊ＋１  を求めた後に、探索を終了するようにしても良い。よって、この場合には、基準点Ｌｉ＋１  、Ｒｊ＋１  が最終基準点Ｌｍ  、Ｒｎ  となる。
【００６５】
次に、特別警戒区域の生成の方法と、土石流警戒区域生成装置の動作及び、処理手順にについて図を用いて詳細に説明する。図５、図１６、図１７を用いて土石流警戒区域の設定について説明し、合わせて、図１２、図１３、図１４、図１５のフローチャートを用いて処理の手順について説明する。
【００６６】
先ず、土石流特別警戒区域を設定しようとする区域を表示装置３０へ表示させる。次に、予め設定されている流線上に位置情報入力手段により氾濫開始点Ｋ０  を設定する（ステップ２００）。この氾濫開始点は、例えば、後で詳しく説明する流線断面図表示手段により、流線の傾斜を確認し、さらに流線断面図指示地点連動表示出力手段により、流線の傾斜の変化する所と、地図上の対応する地点が、地形的にも氾濫開始点として適当か判断し設定する。
【００６７】
次に、調査実施点を設定するために、流線上に、ポイントを入力又は、調査実施点の間隔等を入力し、調査実施点（Ｋ１  ，Ｋ２  ）を設定する。次に、調査実施点で、流線に直交する地形の横断測線の幅（ｌ）を入力し、横断測線（  Ｄ０  、Ｄ１  、Ｄ２  ）を設定する。このとき、規定値を用いる場合は、特に入力を必要としない（ステップ２００）。
【００６８】
次に、次の初期値の設定を行う（ステップ２０１）。
2004347755.tif 000003
【００６９】
次に、初期値の算出を行う（ステップ２０２）。
先ず、地理情報記憶手段６２に記憶された地理情報により、氾濫開始点を基準点として、その基準点実傾斜角θｒ  、基準点傾斜角θを取得する。傾斜角は、現地点と、現地点からから所定の距離だけ上流側にさかのぼった地点間の平均傾斜である。ここでの実傾斜角θｒ  とは、流線に沿って、上流方向にとった一定区間の平均勾配であり、演算値をそのまま用い、傾斜角θは、下流方向に対する傾斜が上り勾配となったとき、直前の下り勾配を使用することで、上り勾配を無視して、計算に用いる傾斜角のことである。
【００７０】
基準点土石流濃度Ｃｄ０を求める。土石流濃度Ｃｄ０は全体に対する土砂／（土砂＋水）の体積比である。
傾斜角θ（指定距離間の平均傾斜角）  とした時、
基準点土石流濃度Ｃｄ０は、式（１）で求められる。
【数１】
2004347755.tif 000004
但し、基準点土石流濃度の上限値は、Ｃｄ０≦Ｃ＊  ・０．９  とする。（１）式の意味するところは、Ｃｄ０  は傾斜角θの関数であり、０度からある値までは増加し、その後減少する特性を示す。すなわち、傾斜角が大きいほど、水成分が下流に流出するので、全土石流に対する土砂成分が大きくなることを意味している。
【００７１】
次に、流水量Ｗを求め、基準点ピーク流量Ｑ０  を求める。流水量Ｗは土石流のうちの水成分の流量をいい、ピーク流量は時間軸上で見た最大流量を意味する。
ピーク流量は、流量が逓減する場合と、逓減しない場合がある。
先ず、流量が逓減する場合は、流水量Ｗは、流出土砂量をＶとすると、式（２）で与えられる。流出土砂量は氾濫開始点において、その点付近における地形や地質を評価して見積もられた値であり、以下の演算モデルにおいて、氾濫開始点において流出土砂量Ｖの土石流が沸き出したとするものである。
【数２】
Ｗ＝０．６・Ｖ・（１−Ｃｄ０  ）／Ｃｄ０              …（２）
（２）式の意味するところは、流水量Ｗは土石流濃度Ｃｄ０が大きくなるほど小さくなるという特性を示している。すなわち、全土石流に対する土砂成分が大きいほど水成分が少ないので、その土石流からの流水量Ｗは小さくなるという当然のモデルを表している。
逓減土砂量ｄＶは、
【数３】
ｄＶ＝Ｗ・Ｃｄ０／（１−Ｃｄ０）                  …（３）
流量が逓減する場合の基準点ピーク流量Ｑ０  は、式（４）により求めることができる。逓減土砂量ｄＶは、土石流が下流に向かうにしたがって土砂を堆積していくというモデルである。
【数４】
Ｑ０＝０．０１・Ｃ＊・ｄＶ／Ｃｄ０                              …（４）
【００７２】
一方、流量が逓減しない場合の基準点ピーク流量Ｑ０  は、式（５）により求めることができる。
【数５】
Ｑ０＝０．０１・Ｃ＊・Ｖ／Ｃｄ０                                …（５）
ここで、流出土砂量Ｖは、経験的に、川の流域面積、降水量等から求められる数値である。また、降雨量、流出土砂量を変化させることで、被害の想定を行うことも可能である。
【００７３】
次に、ステップ２０４において、調査実施点における土石流の水深Ｈを求める。図１４、図１５のフローチャートを用いて説明する。
先ず、ステップ２５０において、地理情報から、土石流の水深Ｈを求める調査地点での地形実傾斜角θｒ  、傾斜角θ、土石流の水準標高ｈを求めるために先ず、仮定標高ｈを取得する。土石流の仮定標高ｈは、調査地点の横断測線断面上の最低標高と、最大標高の中間標高である。つまり、谷の半分の深さの標高を初期値とする。この時の最大標高は、谷の高さが右岸と左岸で異なる場合は、低い方の標高を用いることとする。土石流の仮定標高ｈは、式（６）により与えられる。
【数６】
ｈ＝（断面最低標高＋最大標高）／２              …（６）
【００７４】
調査地点ｎでの、土石流濃度Ｃｄｎ  を式（７）により求める。
【数７】
2004347755.tif 000005
但し、土石流濃度Ｃｄ  ≦Ｃ＊・０．９。これは、基準点での土石流濃度と同一意味である。
【００７５】
次に、流量が逓減する場合のピーク流量Ｑｎ  を求めるために、逓減土砂量ｄＶを式（８）により求める。
【数８】
ｄＶ＝Ｗ・Ｃｄｎ／（１−Ｃｄｎ）                      …（８）
流水量Ｗは、直前の横断測線位置で求められたピーク流量Ｑｎ−１  、又は、基準点（氾濫開始点）でのピーク流量Ｑ０  を用いる。すなわち、流水量として、一つ前の調査地点でのピーク流量を用いる。
【数９】
Ｗ＝Ｑｎ−１                  …（９）
（ｎ−１の横断測線位置での計算済みのものを使用。基準地点ピーク流量Ｑ０  ）
【００７６】
流量が逓減する場合のピーク流量Ｑｎ  を式（１０）により求める。
【数１０】
Ｑｎ  ＝０．０１・（Ｗ＋ｄＶ）                  …（１０）
【００７７】
流量が逓減しない場合のピーク流量Ｑｎ  を式（１１）により求める。
【数１１】
2004347755.tif 000006
ここでの、土石流濃度についても、基準点の土石流濃度Ｃｄ０を用いたが、比較断面となる直前の横断測線位置での計算値Ｃｄｎ−１  を用いても良い。
【００７８】
次に、流下土石量Ｖｎ  を式（１２）により求める。流下土石量Ｖｎ  は第ｎ調査地点における流出土石流量を意味し、初期値は氾濫開始点における流出土砂量Ｖである。
基準地点ピーク流量  Ｑ０  
基準地点土石流濃度  Ｃｄ０
土石流濃度  Ｃｄ  ｎ
【数１２】
2004347755.tif 000007
【００７９】
すなわち、流下土石量Ｖｎ  はその第ｎ調査地点におけるＣｄｎの関数、したがって、その地点における傾斜角θの関数で与えられる。
ここでは、比較元のピーク流量として、基準点ピーク流量Ｑ０  を用いたが、直前の調査地点の横断測線でのピーク流量Ｑｎ−１  を比較地点ピーク流量として用いても良い。土石流濃度についても同様に、基準点土石流濃度Ｃｄ０を用いたが、直前の調査地点の横断測線での土石流濃度Ｃｄｎ−１  を用いても良い。
【００８０】
次に、レジューム流域推定幅Ｂを式（１３）により求める。
【数１３】
Ｂ＝α・（Ｑｎ＊＊β）      …（１３）
ただし、「＊＊」の記号は巾乗を意味する。すなわち、Ｑｎ＊＊βは、Ｑｎのβ乗を意味する。以下、同一定義とする。
地形的な制限により、地形幅を求められない場合に用いる。また、レジューム幅は、増加しないものとする。
【００８１】
これで各調査地点における傾斜角θに依存した各変数の初期値が求められる。次に、土石流の水深を求めるために、土石流の仮定標高をｈとして、地理情報を用いて、調査地点の仮定標高ｈまでの断面積、及び潤辺長を求める（ステップ２５２）。潤辺とは、横断測線断面図において土石流と接触している地形部分の辺（ｖ字形状の曲線辺）をいい、潤辺長とはその長さを意味する。すなわち、上記の各変数の初期値は、横断測線断面図における地形が考慮されていないので、以下の手順は、横断測線断面図における地形を考慮して、土石流の水深Ｈを求めている。
【００８２】
次に、仮定標高ｈの時の地形から、求められるピーク流量Ｑｈ  を式（１４）により求める（ステップ２５４）。
【数１４】
Ｑｈ＝（１／Ｎ＊）・（（断面積／潤辺長）＊＊（２／３））・（ｓｉｎθ）＊＊（１／２）・断面積    …（１４）
すなわち、Ｑｈ  は横断測線断面図における地形を考慮して求められるピーク流量となる。
【００８３】
次に、ステップ２５６において、先に求めた第ｎ調査点での初期値であるピーク流量Ｑｎ  と、地形から求められるピーク流量Ｑｈ  を比較し、Ｑｈ  のほうが小さい場合、仮定標高ｈを増加させる（ステップ２５８）。Ｑｈ  のほうが大きいか、一致する場合、ステップ２６０に進む。ステップ２６０において、再び、ピーク流量Ｑｎ  と比較し、Ｑｈが大きい場合は、仮定標高ｈを低くする（ステップ２６２）。
【００８４】
ここで、ｈの増減の方法についてのべる。初期値が、谷の深さの１／２  であったので、増加させる場合は、谷の深さの（１／２）＊＊２の高さを仮定標高ｈ  へ増加させる。低くする場合も、同様に谷の深さの（１／２）＊＊２の高さを仮定標高ｈ  から減少させる。
つまり、繰り返し回数をｊとすると、ｊ回目の仮定標高ｈは、式（１５）により得られる。
【００８５】
【数１５】
2004347755.tif 000008
となる。また、ここでは、分かりやすくするために、一致した場合のみ、ステップ２６４に進むが、実際は、一定の許容範囲内にＱｈ  が入った時点で、計算を終了させる。
【００８６】
仮定標高ｈを増減させた場合は、ステップ２５２に戻り、再び、同様の計算をし、許容範囲内に入るまで、仮定標高ｈを増減させ、ピーク流量Ｑｎ  と一致する仮定標高ｈを求める。すなわち、地形から求められるピーク流量Ｑｈが傾斜角から求められた初期値としてのピーク流量Ｑｎ  と一致する標高ｈを決定することになる。
【００８７】
仮定標高ｈによる横断測線断面図の地形を考慮したピーク流量Ｑｈ  が、それを考慮しない傾斜角だけ考慮したピーク流量Ｑｎ  と一致すると、ステップ２６４へ進む。この時点において決定された仮定標高ｈは土石流の水準標高ｈとなる。
【００８８】
ここで、図１６により具体的な地形において水準標高ｈを求める場合について説明する。図１６は、横断測線による地形断面図の説明図である。図１６（ａ）  は、谷の断面において、最高標高と、最低標高の中間の標高に仮定標高ｈを設定した例である。この例の場合、谷の右側の標高が、左側の標高より低いので、左側の標高により谷の断面の最高標高とする。仮定標高ｈまで、土石流の高さが有ったとした場合、斜線を付した部分が、土石流の断面積となり、土石流が谷の地形に接している部分（谷の輪郭の太線の部分）  が、潤辺である。仮定標高ｈ  と地形線との交点から土石流の幅が得られる。このとき土石流の水深は、仮定標高ｈ  と、断面最低標高の差である。仮定標高ｈ  から、潤辺長と、断面積をＧＩＳから得る。得られた潤辺長と断面積を用いて、上述した方法により、ピーク流量Ｑｈ  を求める。求めた地形によるピーク流量Ｑｈ  が流出土砂量による流量Ｑｎ  より少ない場合は、仮定標高ｈを谷の深さの（（１／  ２）＊＊２）  高くする。
【００８９】
高くした例が、（ｂ）図である。土石流が仮定標高ｈまで有るとして、再び、断面積、潤辺長を仮定標高ｈと、ＧＩＳにより得る。同様の手順により、地形によるピーク流量Ｑｈ  を得、流出土砂量による流量Ｑｎ  と比較する。次に、地形によるピーク流量Ｑｈ  のほうが多い場合については、仮定標高ｈの高さを谷の深さの（（１／２）＊＊３）低くする。（ｂ）の仮定標高ｈより、谷の深さの（（１／２）＊＊３）低くした例が、（ｃ）である。（ｃ）の場合も同様に、地形によるピーク流量Ｑｈ  を演算し、流出土砂量による流量Ｑｎ  と比較する。一致した場合は、仮定標高ｈと、地形断面との交点座標（ＫＬｉ  ，ＫＲｉ）と、土石流幅を得る。また、土石流水深Ｈを仮定標高ｈと断面最低標高から得る。
【００９０】
ステップ２６４において、水準標高ｈから、地理情報により、横断測線断面図におけるＶ字形状の地形輪郭線との交点を求める。このとき、地形により、土石流幅を規定できない場合は、レジューム理論により、推定幅Ｂを用いて、座標値（ＫＬｉ，ＫＲｉ）を得る。地形により、土石流幅を規定できない場合とは、谷の片側が、土石流の高さより低い場合などである。
【００９１】
次に、土石流水深Ｈ（換算値）を水準標高ｈと、地理情報から得られる横断測線断面図におけるＶ字形状の地形の最低標高との差により得る。しかし、地形による制約のためレジューム理論を適用する場合は、式（１８  ）により求める。この土石流水深Ｈは土石流体力、建築物耐力を求めるために使用される換算深さである。
【数１６】
2004347755.tif 000009
【数１７】
2004347755.tif 000010
【数１８】
Ｈ＝（ｖ０／ｖ１）０．６              …                …（１８）
但し、Ｓｑｒ（Ａ）  は、Ａの平方根を求める関数である。
【００９２】
ここで、図１７における具体的な地形におけるレジューム理論の適用例で説明する。図１７は、横断測線による地形断面図である。この地形の場合、谷の右側の標高が低く土石流の高さより、低くなる。この場合、谷の断面積を得ることが不可能となるため、レジューム理論を用いて、式  （１３）  により土石流の幅Ｂを推定する。この推定した幅Ｂを用いて土石流の水深を式（１８）  により得る。式の意味としては、谷の傾斜、泥水密度等を反映した流量を土石流の推定幅Ｂと傾斜から得られる値により除することで高さを得ると言う意味である。また、推定幅Ｂを用いて、地形との交点の座標（ＫＬｉ，ＫＲｉ）を得る。
【００９３】
ステップ２０６において、土石流水深Ｈを用いて、建築物の耐力ｐ２  を式（１９）により求める。
【数１９】
ｐ２  ＝３５．５／（Ｈ・（５．６−Ｈ））                  …（１９）
但し、高さの上限は２．８  ｍとする。建築物の耐力ｐ２  は土石流水深Ｈが大きくなるほど、耐力が減少する特性を示している。
【００９４】
次に、ステップ２０８において、土石流の流体力Ｆｄ  を求める。
先ず、土石流密度ρｄ  を式（２０）により求める。
【数２０】
ρｄ  ＝ρ・Ｔａｎφ／（Ｔａｎφ−Ｔａｎθ）            …（２０）
【００９５】
次に、土石流の流速Ｕを式（２１）により求める。
【数２１】
Ｕ＝（Ｈ＊＊（  ２／３））・Ｓｑｒ（Ｓｉｎθｒ）／Ｎ＊          …（２１）
【００９６】
土石流体力Ｆｄ  を土石流密度ρｄ  と、流速Ｕを用いて、式（２２）により求める。
【数２２】
Ｆｄ  ＝ρｄ・Ｕ２                                …（２２）
すなわち、土石流体力Ｆｄ  は、土石流密度の増加及び流速の増加に応じて増加する特性であり、その土石流密度は傾斜角の増加に応じて増加し、流速は土石流水深Ｈの増加に応じて増加する。よって、土石流体力Ｆｄ  は傾斜角の増加と土石流水深の増加に応じて増加する特性を示している。
【００９７】
ステップ２１８において、土石流流体力Ｆｄ  と、建築物耐力ｐ２  を比較して、土石流流体力が、ｐ２  を上回る地点では、建物に被害が及ぶと考えられるので、特別警戒区域とし、次の断面を設定するステップ２２２へ進む。下回ると、特別警戒区域の境界点のを得るための次の調査地点の設定を止め、ステップ２２４に進み、各調査地点の横断測線に沿った地形断面で求めた、境界点（（ＫＬ０，ＫＲ０）、（ＫＬ１，ＫＲ１）、（ＫＬ２，ＫＲ２））  、を上流から順に結合して、特別警戒区域多角形を生成する。
【００９８】
ステップ２２２において、次の調査地点の横断測線に沿った地形断面を設定する。ステップ２０４へ戻り、ステップ２１８において、土石流流体力Ｆｄ  ＜建築物耐力ｐ２  となるまで、特別警戒区域の生成を繰り返す。ステップ２２６において、特別警戒区域出力手段５２により、生成された特別警戒区域を地図上に表示するようにＧＩＳ制御部６８に指令を出力する。このようにして生成された土石流特別警戒区域の中で、土石流の高さが、例えば、１ｍを超す区域を横断測線毎に調査し、調査座標を連結することにより、１ｍ超区域としても良い。さらに、流体力においても、所定の流体力、例えば、５０ｋＮ／ｍ２  を超える区域を調査し、  ５０ｋＮ／ｍ２  超区域としても良い。
【００９９】
次に、最低標高点方向矢印表示について説明する。矢印表示の例を図６に示す。この最低標高点方向矢印表示は、地理情報表示手段に表示された地図に対して位置情報入力手段により指定した範囲内で、離散的にとられた格子点から最低標高点の方向への矢印を表示するものである。最低標高点探索手段において、格子点を中心に、例えば、２０ｍの半径の円を想定し、円周上において、最低標高点を地理情報から得る。次に、最低標高点方向矢印出力手段により、地図上に、各格子点を始点とし、最低標高点を終点とする２０ｍの矢印を表示する。一般的に、水は、標高の高い地点から、標高の低い地点に流れるので、この最低標高点方向矢印表示により、水が流下する方向を知ることができるようになる。半径を、例えば、２０ｍ、４０ｍ等、複数の設定で、矢印の色を変えて、重ねて表示させることにより、水の集まる方向を知ることが可能となる。また、格子点の間隔は、等間隔であっても、それ以外の間隔でも良い。さらに、格子点の間隔として、ある標高を指定して、同一標高で、離散的に格子点を取り、矢印表示をさせ、次に、矢印の終点を格子点とし、繰り返し回数を指定して、矢印表示をさせるようにしてもよい。
【０１００】
このようにして、最低標高点方向矢印が表示された地図上において、矢印表示を参照して、流線を設定する。図７（ａ）において、例えば、矢印表示の集まった所を流線としたい谷線として想定する。次に、流線ポイント入力手段により、複数の地点を上流から順次指定する。図７（ｂ）のように、流線設定手段は、指定された点を上流から順次連結し得られる連続した線を流線とする。流線出力手段は、このようにして、設定された流線を流線として地図上に出力する指令をＧＩＳ制御部６８に出力する。このようにすることにより、水の流下する方向を矢印表示により、推定しながら、流線を設定することができるようになる。このようにして設定された流線を用いて、警戒区域の生成、特別警戒区域の生成を行う。
【０１０１】
さらに、流線断面図表示手段により、設定された流線に沿った地形断面図（図８（ａ））を表示する。この流線断面図表示において、流線断面図位置入力手段により、流線断面図上の任意の地点を指定すると、流線断面図指示位置設定手段により、入力された流線断面図位置を地図上の対応する位置に設定する。流線断面図指示地点連動表示出力手段により、地理情報表示手段に表示された地図に設定された地図上の位置を出力する。このようにすることにより、流線断面図において、例えば、カーソルで、断面図上の位置を指示することで、地図上の位置を連動させて表示させることができるようになる。土石流は、急傾斜の渓流の谷の出口、渓流の傾斜が変化する所で発生しやすいことが知られているため、流線断面図表示により谷の連続した傾斜を、視覚的に捉えることができるようになる。その中で、傾斜が変わり、地図上では、谷の出口と一致するような地点を探すことが容易となる。このことは、氾濫開始点としてよりふさわしい地点をより簡単に設定することができるようになることである。従って、より正確な土石流特別警戒区域の生成が可能となる。
【０１０２】
上述した実施形態は、本発明の一例であって、これに限定されるものではなく、発明の本質に照らして、様々な変形例が考えられる。
【図面の簡単な説明】
【図１】本発明の土石流警戒区域生成装置の接続ブロック図。
【図２】土石流警戒区域の生成の為の基準点探索の説明図。
【図３】土石流警戒区域の生成の説明図。
【図４】土石流警戒区域の生成例の説明図。
【図５】特別警戒区域の生成例の説明図。
【図６】最低標高点方向矢印表示例。
【図７】流線の設定の説明図。
【図８】流線断面図指示位置連動表示例。
【図９】警戒区域の生成のフローチャート（その１）  。
【図１０】警戒区域の生成のフローチャート（その２）  。
【図１１】警戒区域の生成のフローチャート（その３）  。
【図１２】土石流特別警戒区域生成フローチャート（その１）  。
【図１３】土石流特別警戒区域生成フローチャート（その２）  。
【図１４】土石流水深算出フローチャート（その１）  。
【図１５】土石流水深算出フローチャート（その２）  。
【図１６】横断測線位置における地形断面図を用いた水準標高ｈを求める説明図。
【図１７】横断測線位置における地形断面図を用いたレジューム時の説明図。
【符号の説明】
１…土石流警戒区域生成装置
１０…制御装置
２０…入力装置
３０…表示装置
４０…ＣＰＵ
４１…警戒区域生成手段
４２…特別警戒区域生成手段
４６…最低標高点探索手段
４７…流線設定手段
４８…流線断面図指示位置設定手段
５１…警戒区域出力手段
５２…特別警戒区域出力手段
５６…最低標高点矢印出力手段
５７…流線出力手段
５８…流線断面図指示位置連動表示出力手段
６０…地理情報システム
６１…記憶手段
６２…地理情報記憶手段
６３…位置情報入力手段
６４…流線ポイント入力手段
６５…流線断面図位置入力手段
６６…地理情報表示手段
６７…流線断面図表示手段
【図１】
2004347755.tif 000011
【図２】
2004347755.tif 000012
【図３】
2004347755.tif 000013
【図４】
2004347755.tif 000014
【図５】
2004347755.tif 000015
【図６】
2004347755.tif 000016
【図７】
2004347755.tif 000017
【図８】
2004347755.tif 000018
【図９】
2004347755.tif 000019
【図１０】
2004347755.tif 000020
【図１１】
2004347755.tif 000021
【図１２】
2004347755.tif 000022
【図１３】
2004347755.tif 000023
【図１４】
2004347755.tif 000024
【図１５】
2004347755.tif 000025
【図１６】
2004347755.tif 000026
【図１７】
2004347755.tif 000027